(57)【要約】【課題】風向板を使って送風方向を偏向させながら気流制御を行う空気調和機において、送風方向に関わらず常に適切な風量を制御することができるようにする。【解決手段】室内機に熱交換器を通過させた調和空気を送風するメインファンと、メインファンの両側の少なくとも一方に熱交換器を通過させない室内空気を送風するサイドファンとを有する空気調和機であって、メインファンの左右風向板を駆動して風向を左右に偏向させる左右風向板駆動源２４と、サイドファンの左右風向板を駆動して風向を左右に偏向させる左右風向板駆動源２６１３、２６２３と、サイドファンの回転数を変えることで風量を制御するサイドファン制御部２１３１とを備え、サイドファン制御部２１３１は、左右風向板駆動源２６１３、２６２３によりサイドファンの風向が正面の時より左右いずれかに偏向させた時の方が、サイドファンの回転数を上げるように制御する。【選択図】図４
2014173781.tif 000002
【特許請求の範囲】
【請求項１】
室内機に熱交換器を通過させた調和空気を送風するメインファンと、該メインファンの両側の少なくとも一方に熱交換器を通過させない室内空気を送風するサイドファンとを有する空気調和機であって、
前記メインファンの左右風向板を駆動して風向を左右に偏向させるメインファン左右風向板駆動手段と、
前記サイドファンの左右風向板を駆動して風向を左右に偏向させるサイドファン左右風向板駆動手段と、
前記サイドファンの回転数を変えることで風量を制御するサイドファン制御部と、
を備え、
前記サイドファン左右風向板駆動手段によって前記メインファンによる送風の左右方向の風向に合せて前記サイドファンによる送風の左右方向の風向を偏向させた時、前記サイドファン制御部は、前記サイドファンの回転数を風向が正面の時の回転数より上げるように制御することを特徴とする空気調和機。
【請求項２】
前記サイドファン制御部は、前記サイドファンの左右風向板の偏向角度に応じて前記サイドファンの回転数を変更することを特徴とする請求項１に記載の空気調和機。
【発明の詳細な説明】
【技術分野】
【０００１】
本発明は、複数の吹出口から吹き出される気流の制御を行う空気調和機に関する。
【背景技術】
【０００２】
従来の空気調和機は、左右方向に長い熱交換器を通過した空気をクロスフローファンで送風し、その風向を上下、左右に変更するために、吹出口に上下風向板と左右風向板とが設けられている。
【０００３】
また、最近の空気調和機では、複数の吹出口を備えたものがある。例えば、空気調和機筐体部の外部に空気を吹き出す主排気口部と副排気口部とを備え、主排気口部に空調に適した空調気流を作る主気流制御手段を設け、副排気口部に空気中の塵埃を回収するための集塵気流を発生させる副気流制御手段を設けて、空調気流と集塵気流とを同時に発生させ、室温の調整と空気の清浄化とを同時に行うものが開示されているものがある。（例えば、特許文献１参照）。
【先行技術文献】
【特許文献】
【０００４】
【特許文献１】特開２０１０−１６４２７１号公報
【発明の概要】
【発明が解決しようとする課題】
【０００５】
特許文献１の空気調和機は、空調に適した空調気流と空気中の塵埃を回収するための集塵気流を発生させていて、空調気流と集塵気流はそれぞれ別の目的を達成する気流であり、集塵気流は、調和気流に影響を与えない方向に吹き出される。しかしながら、熱交換器を通過させた調和空気を送風する吹出口とその両側の少なくとも一方の吹出口からは熱交換器を通過させない室内空気を送風して室内空気を攪拌させて効率良く空調することが可能な空気調和機を考えると、熱交換器を通過させた調和空気を送風するメインユニットと、メインユニットの両側に熱交換器を通過させない室内空気を送風するサイドユニットとで構成する事が考えられる。このとき、メインユニットは従来の空気調和機と同じ構造とすれば、左右風向板の間隔は開いているため、左右風向板を左右に向けても吹出口を塞ぐことはない。それに対して、空気調和機の幅は設置上の制限や美観問題もあるため大きく取れず、サイドユニットおよび吹出口の幅を狭くせざるを得ないため左右風向板の間隔は狭くなる。このため、左右風向板を左右に向けた場合、吹出口を塞ぐ事となり、そのために吹出す風量が減少するという課題が生じる。
【０００６】
本発明は、上記に鑑みてなされたものであって、熱交換器を通過させた調和空気を送風する吹出口とその両側の少なくとも一方の吹出口からは熱交換器を通過させない室内空気を送風して室内空気を攪拌させて効率良く空調することが可能な空気調和機において、風向板を使って送風方向を偏向させながら気流制御を行う場合であっても、送風方向に関わらず常に適切な風量制御を行うことが可能な空気調和機を提供することを目的とする。
【課題を解決するための手段】
【０００７】
上述した目的を達成するために、本発明の空気調和機は、室内機に熱交換器を通過させた調和空気を送風するメインファンと、該メインファンの両側の少なくとも一方に熱交換器を通過させない室内空気を送風するサイドファンとを有する空気調和機であって、前記メインファンの左右風向板を駆動して風向を左右に偏向させるメインファン左右風向板駆動手段と、前記サイドファンの左右風向板を駆動して風向を左右に偏向させるサイドファン左右風向板駆動手段と、前記サイドファンの回転数を変えることで風量を制御するサイドファン制御部と、を備え、前記サイドファン左右風向板駆動手段によって前記メインファンによる送風の左右方向の風向に合せて前記サイドファンによる送風の左右方向の風向を偏向させた時、前記サイドファン制御部は、前記サイドファンの回転数を風向が正面の時の回転数より上げるように制御することを特徴とする。
【０００８】
また、本発明の空気調和機の前記サイドファン制御部は、前記サイドファンの左右風向板の偏向角度に応じて前記サイドファンの回転数を変更することを特徴とする。
【発明の効果】
【０００９】
本発明の空気調和機によれば、室内機に熱交換器を通過させた調和空気を送風するメインファンと、該メインファンの両側の少なくとも一方に熱交換器を通過させない室内空気を送風するサイドファンとを有する空気調和機であって、前記メインファンの左右風向板を駆動して風向を左右に偏向させるメインファン左右風向板駆動手段と、前記サイドファンの左右風向板を駆動して風向を左右に偏向させるサイドファン左右風向板駆動手段と、前記サイドファンの回転数を変えることで風量を制御するサイドファン制御部と、を備え、前記サイドファン左右風向板駆動手段によって前記メインファンによる送風の左右方向の風向に合せて前記サイドファンによる送風の左右方向の風向を偏向させた時、前記サイドファン制御部は、前記サイドファンの回転数を風向が正面の時の回転数より上げるように制御する。このため、空気調和機は、メインファンとサイドファンの気流を組み合わせて気流制御を行う際に、サイドファンの気流を左右風向板で偏向させる時の通風抵抗が大きくなって風量が減少することから、減少した分の風量を補うように、サイドファンの回転数を上げることで、サイドファンからの風量を常に一定に保つことができるという効果を奏する。
【図面の簡単な説明】
【００１０】
【図１】図１は、本発明の一実施例に係る空気調和機の室内機の外観斜視図である。
【図２】図２は、図１の室内機の中央吹出口の上下風向板の内側に設けられた左右風向板を示す外観斜視図である。
【図３】図３は、室内機および室外機における概略構成を示すブロック図である。
【図４】図４は、空気調和機の制御系を概略的に示すブロック図である。
【図５】図５は、暖房運転時にメインファンとサイドファンの気流を組み合わせた気流状態を示す室内機の斜視図である。
【図６】図６は、図５の気流におけるメインファン気流と左右サイドファン気流を正面方向に吹き出した時のそれぞれの送風する左右方向の角度を上から見た図である。
【図７】図７は、図５の気流におけるメインファン気流と左右サイドファン気流をやや右方向に吹き出した時のそれぞれの送風する左右方向の角度を上から見た図である。
【図８】図８は、図５の気流におけるメインファン気流と左右サイドファン気流を右方向に吹き出した時のそれぞれの送風する左右方向の角度を上から見た図である。
【図９】図９は、メインファン気流あるいはサイドファン気流を左右風向板で５つの方向に偏向させる場合の角度と名称例を示した図である。
【図１０】図１０は、暖房運転時にメインファンとサイドファンの気流を組み合わせたスイング気流モードにおける気流状態を示す室内機の斜視図である。
【図１１】図１１は、サイドファンの左右偏向方向とサイドファンの回転数を上げる場合の対応関係を示す図である。
【図１２】図１２は、サイドファンの回転数を上げてメインファンとサイドファンの風量バランスの制御動作を説明するフローチャートである。
【発明を実施するための形態】
【００１１】
以下に、本発明にかかる空気調和機の実施例を図面に基づいて詳細に説明する。なお、この実施例によりこの発明が限定されるものではない。
【００１２】
図１は、本発明の一実施例に係る空気調和機の室内機の外観斜視図であり、図２は、図１の室内機の中央吹出口の上下風向板の内側に設けられた左右風向板を示す外観斜視図であり、図３は、室内機および室外機における概略構成を示すブロック図であり、図４は、空気調和機の制御系を概略的に示すブロック図である。
【００１３】
図１に示すように、本実施例に用いられる空気調和機の室内機２０は、本体ユニット２６３とその両側に左ファンユニット２６１と右ファンユニット２６２とを備える。室内機２０の本体ユニット２６３は、主筐体２７を備える。主筐体２７では、筐体本体２８に外装パネル２９が覆い被さる。筐体本体２８には、中央吹出口３０が形成される。外装パネル２９の上部には、図示しない吸込口が形成される。中央吹出口３０は、下向きに開口している。このような筐体本体２８は、例えば室内の壁面に固定することができる。その際、中央吹出口３０の前端３０ａは、後端３０ｂと比べると上方の位置に配置される。その結果、中央吹出口３０は、所定の傾斜角αで前上がりの姿勢に形成される。このような傾斜角αの働きで、気流は中央吹出口３０から床面に向かって下向きに吹き出すことができるだけでなく、床面に対して平行（水平方向）に吹き出すこともできる。
【００１４】
そして、中央吹出口３０には、前後一対の上下風向板３１ａ、３１ｂが配置される。上下風向板３１ａ、３１ｂは、それぞれ水平軸線３２ａ、３２ｂ回りで回転することができる。回転に応じて上下風向板３１ａ、３１ｂは、中央吹出口３０を開閉することができる。
【００１５】
また、筐体本体２８の両側面には、個別に左ファンユニット２６１と右ファンユニット２６２が配置される。つまり、左ファンユニット２６１と右ファンユニット２６２は、筐体本体２８の側壁の外側に配置される。左ファンユニット２６１は、左サイドファン筐体３３１を備えており、左吹出口３４１が形成され、サイドファンの風向を左右に変える左右風向板３４１ａが配置されている。右ファンユニット２６２は、右サイドファン筐体３３２を備えており、右吹出口３４２が形成され、左右風向板３４２ａが配置されている。この左吹出口３４１と右吹出口３４２は、不図示の駆動機構によって水平軸線３５回りでそれぞれ回転させることで、サイドファンの風向を上下に変えられる。上記した水平軸線３２ａ、３２ｂと水平軸線３５とは、図１に示すように、相互に平行に延びている。筐体３３１と筐体３３２の側面には、サイドパネル３６が覆い被さる。このサイドパネル３６には、側面吸込口３７が形成される。側面吸込口３７は、図１に示すように、例えばメッシュ状の小開口を集合させて形成する。
【００１６】
本実施例にかかる空気調和機は、上記した室内機２０との間で無線による双方向通信により遠隔から運転操作が行えるリモコン１０を備えている。
【００１７】
また、図２に示すように、図１の室内機２０の上下風向板３１ａ、３１ｂを取り外した状態を下側から見ると、中央吹出口３０から吹き出すメインファンの風向を左右に偏向させる複数のフィンからなる左右風向板３８が設置されている。この左右風向板３８を構成する複数のフィンは、左右方向に可動なバーに端部がそれぞれ連結され、バーを左右方向にスライドさせることで、複数の左右風向板３８を同じ角度に傾斜させることができるため、左右風向板３８の傾斜角度に応じてメインファン気流３０１の風向を偏向させることができる。
【００１８】
本実施例にかかる空気調和機の室内機および室外機は、図３に示すように構成されている。上記した室内機２０の本体ユニット２６３内には、室内熱交換器２６４およびメインファン２６５が組み込まれる。メインファン２６５はクロスフローファンであって、回転によって気流を生成する。本体ユニット２６３には、メインファン２６５の働きにより室内空気が吸い込まれる。吸い込まれた室内空気は室内熱交換器２６４を通過することで冷媒と熱交換され、冷気または暖気が生成される。この室内熱交換器２６４を通り抜けた後の冷気または暖気の気流は、本体ユニット２６３の中央吹出口３０から吹き出され、メインファン気流３０１となる。また、室内熱交換器２６４を通り抜けた気流の流量は、クロスフローファンの回転数によって調整される。
【００１９】
室外機４０の冷凍回路４１は、図３に示すように、四方弁４２、圧縮機４３、室外熱交換器４４、膨張弁４５、室外ファン４６、および冷媒管５０などで構成されている。例えば、冷凍回路４１で冷房運転が設定されると、四方弁４２は、第２口４２ｂおよび第３口４２ｃを相互に接続し、第１口４２ａおよび第４口４２ｄを相互に接続する。これにより、圧縮機４３の吐出管４３ｂから高温高圧の冷媒が室外熱交換器４４に供給される。冷媒は、室外熱交換器４４、膨張弁４５および室内熱交換器２６４を順番に流通する。室外熱交換器４４では、冷媒の熱エネルギーが外気に放出される。冷媒は、膨張弁４５で低圧まで減圧され、室内熱交換器２６４において周囲の空気から吸熱する。これにより生成された冷気は、メインファン２６５の働きで室内空間に吹き出される。室内熱交換器２６４で吸熱した冷媒は、四方弁４２を介して圧縮機４３に戻される。
【００２０】
また、冷凍回路４１で暖房運転が設定されると、四方弁４２は、第２口４２ｂおよび第４口４２ｄを相互に接続し、第１口４２ａおよび第３口４２ｃを相互に接続する。これにより、圧縮機４３の吐出管４３ａから高温高圧の冷媒が室内熱交換器２６４に供給される。冷媒は、室内熱交換器２６４、膨張弁４５および室外熱交換器４４を順番に流通する。室内熱交換器２６４では、冷媒の熱エネルギーが周囲の空気に放出され、暖気が生成される。暖気は、メインファン２６５の働きで室内空間に吹き出される。冷媒は、膨張弁４５で低圧まで減圧され、室外熱交換器４４において周囲の空気から吸熱する。その後、冷媒は圧縮機４３に戻される。
【００２１】
また、本実施例にかかる空気調和機の左ファンユニット２６１および右ファンユニット２６２は、本体ユニット２６３とは独立して設けられる。左ファンユニット２６１および右ファンユニット２６２は、ファンユニットの内部に遠心送風機からなるサイドファン２６６と（図１参照）、サイドファン２６６から送出される気流を吹き出す左吹出口３４１および右吹出口３４２をそれぞれ備え、図１で説明した駆動機構により水平軸線３５回りに回転させると共に、左吹出口３４１および右吹出口３４２の左右風向板３４１ａ、３４２ａにより各吹出口から吹き出される空気の風向・風量を個別に制御することが可能となる。中央吹出口３０から吹き出される空気は、室内熱交換器２６４を通り抜けた冷気または暖気からなるメインファン気流３０１である。左吹出口３４１および右吹出口３４２から吹き出される左サイドファン気流３４１１と右サイドファン気流３４２１は、それぞれの側面吸込口３７から吸い込んだ室内空気をそのまま吹き出した気流である。
【００２２】
続いて、図４を用いて、本実施例の空気調和機の制御系について説明する。制御ユニット２１は、冷暖房確立部２１１を備える。冷暖房確立部２１１は、図３に示す冷凍回路４１の動作を制御する。冷暖房確立部２１１の制御に応じて冷凍回路４１では冷房運転の動作または暖房運転の動作が選択的に確立される。冷暖房確立部２１１には室外機４０が接続される。冷暖房確立部２１１は、図３の圧縮機４３や膨張弁４５、四方弁４２の動作を制御する。こうした制御にあたって冷暖房確立部２１１は圧縮機４３や膨張弁４５、四方弁４２に制御信号を供給する。例えば四方弁４２では制御信号の働きにより弁の位置が切り替えられる。
【００２３】
また、制御ユニット２１は、本体ユニット制御ブロック２１２およびファンユニット制御ブロック２１３を備える。本体ユニット制御ブロック２１２は、図３の本体ユニット２６３の動作を制御する。本体ユニット制御ブロック２１２は、メインファン制御部２１２１、上下風向板制御部２１２２および左右風向板制御部２１２３を有する。メインファン制御部２１２１には、メインファン駆動源２２の動作を制御する。メインファン制御部２１２１によって制御されたメインファン駆動源２２は、メインファン２６５の始動や停止、回転数の制御を実行する。上下風向板制御部２１２２には、本体ユニット２６３の上下風向板駆動源２３の動作を制御する。上下風向板制御部２１２２によって制御された上下風向板駆動源２３は、上下風向板３１ａ、３１ｂの向きを制御する。左右風向板制御部２１２３は、左右風向板駆動源２４の動作を制御する。左右風向板制御部２１２３によって制御された左右風向板駆動源２４は、図２の左右風向板の向きを制御する。
【００２４】
また、ファンユニット制御ブロック２１３は、左ファンユニット２６１と右ファンユニット２６２の動作を制御する。ファンユニット制御ブロック２１３は、サイドファン制御部２１３１、筐体姿勢制御部２１３２および左右風向板制御部２１３３を有する。サイドファン制御部２１３１は、左サイドファン駆動源２６１１と右サイドファン駆動源２６２１の動作を個別に制御する。サイドファン制御部２１３１によって制御された左サイドファン駆動源２６１１と右サイドファン駆動源２６２１は、サイドファン２６６の始動や停止、回転数の制御を実行する。筐体姿勢制御部２１３２は、左ファンユニット２６１と右ファンユニット２６２のファン筐体駆動源２６１２、２６２２の動作を制御する。筐体姿勢制御部２１３２によって制御されたファン筐体駆動源２６１２は、左サイドファン筐体３３１の向きを制御し、ファン筐体駆動源２６２２は、右サイドファン筐体３３２の向きを制御する。左右風向板制御部２１３３は、左右風向板駆動源２６１３、２６２３の動作を制御する。左右風向板制御部２１３３によって制御された左右風向板駆動源２６１３、２６２３は、左右風向板３４１ａ、３４２ａの向きを制御する。
【００２５】
さらに、制御ユニット２１には、例えばリモコン送受信部６１が接続される。リモコン送受信部６１には、例えばリモコン１０から無線で指令信号が供給される。この指令信号は、例えば空気調和機の動作モードや設定室温を特定する。指令信号には、リモコン１０の操作に応じて動作モードや設定室温が記述される。動作モードには例えば「冷房運転」「暖房運転」「除湿運転」「送風運転」などが挙げられる。リモコン送受信部６１は、受信した指令信号を出力する。指令信号は冷暖房確立部２１１、本体ユニット制御ブロック２１２およびファンユニット制御ブロック２１３にそれぞれ供給される。冷暖房確立部２１１、本体ユニット制御ブロック２１２およびファンユニット制御ブロック２１３は、指令信号で特定される動作モードや設定室温に応じて動作する。
【００２６】
また、制御ユニット２１には、室内機２０のメインファン用の吸込口３８に取り付けられた室温センサ６２が接続され、室温センサ６２で検出された温度が、ユーザが設定した温度になるように本体ユニット制御ブロック２１２によって空調制御を行う。
【００２７】
また、制御ユニット２１には、室内機２０に取り付けられた人感センサ６３が接続される。人感センサ６３は、在室者の存在や在室者の位置を検知する。検知結果に応じて人感センサ６３は、検知信号を出力する。検知信号で在室者の有無や位置は特定される。検知信号は、制御ユニット２１に供給される。冷暖房確立部２１１、本体ユニット制御ブロック２１２およびファンユニット制御ブロック２１３は、制御の実行にあたって、検知信号で特定される在室者の有無や位置を参照することができる。
【００２８】
なお、制御ユニット２１は、例えばマイクロプロセッサユニット（ＭＰＵ）といった演算処理回路で構成しても良い。演算処理回路には、例えば不揮発性の記憶装置を内蔵、あるいは、図４に示すように、記憶部６４として外付けすることができる。記憶部６４には、所定の制御プログラムや各種パラメータなどを格納することができ、演算処理回路が制御プログラムを実行することにより制御ユニット２１として機能させることができる。また、記憶部６４には、本実施例のサイドファンの左右偏向方向に対応させたサイドファンの回転数データを記憶したテーブルが格納されている（図１１参照）。
【００２９】
本実施例に係る空気調和機の特徴は、サイドファン気流である左サイドファン気流３４１１および右サイドファン気流３４２１の風向を、左右風向板３４１ａ、３４２ａで左右に偏向させると、通風抵抗により風量が減少するため、メインファン気流と組み合わせた場合でもサブファンにからの風量を常に一定に保つ点にある。つまり、風向板による通風抵抗は、風向板が正面を向いている時は無く、左右方向に偏向させた時のみ生じるため、図９、図１１で示すようにサイドファンの風向を偏向させない場合は風量を変更せず、左（「やや左」と「左」を含む）あるいは右（「やや右」と「右」を含む）に風向を偏向させる場合は、サイドファンの回転数を上げるように制御する。具体的には、本実施例の空気調和機は、風向板による通風抵抗によって減少した分だけ風量を補うように、サイドファンの回転数を上げる。また、気流制御の種類によっては、サイドファンと共にメインファンの風向も左右に偏向させるスイング気流モードがあるが、正面以外の左右に偏向させた場合に、サイドファンの回転数を上げて減少した風量を補うことで、サイドファンからの風量を常に一定に保つことができるように制御する。
【００３０】
図５は、暖房運転時にメインファンとサイドファンの気流を組み合わせた気流状態を示す室内機の斜視図であり、図６は、図５の気流におけるメインファン気流と左右サイドファン気流を正面方向に吹き出した時のそれぞれの送風する左右方向の角度を上から見た図であり、図７は、図５の気流におけるメインファン気流と左右サイドファン気流をやや右方向に吹き出した時のそれぞれの送風する左右方向の角度を上から見た図であり、図８は、図５の気流におけるメインファン気流と左右サイドファン気流を右方向に吹き出した時のそれぞれの送風する左右方向の角度を上から見た図であり、図９は、メインファン気流あるいはサイドファン気流を左右風向板で５つの方向に偏向させる場合の角度と名称例を示した図である。以下、図５〜図９を用いて各気流状態を説明する。
【００３１】
（暖房運転時の気流）
図５は、空気調和機の暖房運転モードにおいて、室内熱交換器を通過した暖気は、上下風向板３１ａ、３１ｂを下に向けてメインファン気流３０１を吹き出すと同時に、室内熱交換器を通過しない室内空気を左ファンユニット２６１および右ファンユニット２６２によって水平方向から下向きに４５°程度回動させ、メインファン気流３０１に対して左サイドファン気流３４１１と右サイドファン気流３４２１とを左右方向から１０°ずつ内側に向けて（図６参照）、メインファン気流３０１の上から押さえ付けるように吹き出している。図６に示すように、メインファン気流３０１の風向は「正面」で、サイドファン気流３４１１、３４２１各々の風向を少し内側に偏向されているが、この状態を「正面」とする。
【００３２】
しかし、図７に示すように、メインファン気流３０１と左右サイドファン気流３４１１、３４２１の風向を図６で示す風向より各々２０°右に傾けた「やや右」、あるいは、図８に示すように、メインファン気流３０１と左右サイドファン気流３４１１、３４２１の風向を各々４０°右に傾けた「右」の場合のように、左右風向板で偏向させる場合は、「正面」と比較すると通風抵抗により風量が減少する。このため、本実施例では、「正面」とそれ以外の「やや右」、「右」に分けて、サイドファンの回転数を制御することで風量を一定に保つ。上記実施例は、偏向方向を「正面」と「やや右」と「右」と３段階に分けた説明をしているが、左右風向板の偏向角度をもっと細分してサイドファンの回転数を変えるようにしてもよい。
【００３３】
上記した図６〜図８では、暖房運転時の気流モードにおける「正面」、「やや右」、「右」の気流の３パターンを示しているが、左右の偏向方向には、図９に示す「やや左」と「左」がさらに加わる。この「やや左」と「左」の気流パターンは、図７、図８に示す右方向の気流を左方向に変えたものであるため、図示を省略する。
【００３４】
（暖房運転時のスイング気流モード）
図１０は、空気調和機の暖房運転モードにおいて、メインファン気流３０１の上下方向の風向は、床面７１に暖気を供給するように、下向きに吹き出す。メインファン気流３０１の左右方向の風向は、左右風向板３８によって左右方向にスイングさせる。また、左サイドファン気流３４１１と右サイドファン気流３４２１は、スイングするメインファン気流３０１に対して左右方向で１０°ずつ内側を向くように吹き出される。図１０に示すように、暖気であるメインファン気流３０１を下向きに吹き出し、メインファン気流３０１を上から抑え込むように、左ファンユニット２６１および右ファンユニット２６２を水平方向から下向きに４５°程度回動させることで、左サイドファン気流３４１１と右サイドファン気流３４２１を下向きかつメインファン気流３０１よりも少し上に吹き出している。つまり、このスイング気流モードは、左サイドファン気流３４１１と右サイドファン気流３４２１がメインファン気流３０１に対して１０°ずつ内側に向いた状態を維持したまま、メインファン気流３０１、左サイドファン気流３４１１、右サイドファン気流３４２１が連動して左右方向にスイングするものである。このように、図１０に示すスイング気流モードでは、メインファン気流３０１を下向きに吹き出し、左サイドファン気流３４１１と右サイドファン気流３４２１とがメインファン気流３０１に対して左右方向で１０°ずつ内側を向き、メインファン気流３０１よりも温度の低い空気を上から抑え込むように吹き出しながら連動してスイングさせるため、暖気が上昇するのを抑えつつ、広範囲に暖気を広げて床面７１付近を温め、暖気を対流させることで部屋全体を温めることができる。または、図９に示した５箇所の定位置で３０秒ずつ停止させてスイングさせてもよい。
【００３５】
この図１０に示すスイング気流モードの場合は、図５〜図８で説明した気流と同様に、「正面」とそれ以外（「やや右」、「右」、「やや左」、「左」）とに分けて、サイドファンの回転数を制御する。
【００３６】
（サイドファンの回転数を上げる実施例）
図１１は、サイドファンの左右偏向方向とサイドファンの回転数との対応関係を示す図である。図１１に示すように、サイドファンの風向を左右に偏向させた場合に、「正面」の時の回転数を基準にして、偏向方向が「やや右」、「右」、または、「やや左」、「左」に対してサイドファンの回転数を１０％ずつ上げるように制御する。
【００３７】
この制御動作を図１２のフローチャートを用いて説明する。空気調和機が運転を開始されると、制御ユニット２１のサイドファン制御部２１３１は、サイドファンの左右風向が変更があったか否かを判断し（ステップＳ１００）、サイドファンの左右風向に変更があった場合は（ステップＳ１００でＹｅｓ）、図１１で示すようにサイドファンの偏向方向に応じてサイドファンの回転数を変える。その後、運転停止か否かを判断し（ステップＳ１０２）、運転停止でなければ（ステップＳ１０２でＮｏ）、ステップＳ１００に戻って上記処理が繰り返され、運転停止と判断される（ステップＳ１０２でＹｅｓ）と運転が終了する。
【００３８】
また、上記ステップＳ１００において、サイドファンの左右風向に変更がない場合（ステップＳ１００でＮｏ）、サイドファンの回転数を変更しない（ステップＳ１０３）。その後、ステップＳ１０２に進んで運転停止か否かを判断し、上記で説明した通りである。
【００３９】
このように、本実施例に係る空気調和機にあっては、サイドファン気流である左サイドファン気流３４１１および右サイドファン気流３４２１の風向が正面の時よりも、左右いずれかに偏向させた時の方が左右風向板による通風抵抗が大きくなって風量が減少することから、減少した分の風量を補うように、サイドファンの回転数を上げることで、サイドファンからの風量を常に一定に保つことができる。
【産業上の利用可能性】
【００４０】
以上のように、本発明にかかる空気調和機は、空気調和機の室内機に複数の吹出口が配置され、各吹出口から吹き出される気流の風量と風向とを個別に調節可能な空気調和機に有用であり、サイドファンの風向の偏向状態に応じて風量制御を行うことにより気流制御の風量バランスを保つことができる空気調和機を実現することができる。
【符号の説明】
【００４１】
１０  リモコン
２０  室内機
２１  制御ユニット
２１１  冷暖房確立部
２１２  本体ユニット制御ブロック
２１２１  メインファン制御部
２１２２  上下風向板制御部
２１２３  左右風向板制御部
２１３  ファンユニット制御ブロック
２１３１  サイドファン制御部
２１３２  筐体姿勢制御部
２１３３  左右風向板制御部
２２  メインファン駆動源
２３  上下風向板駆動源
２４  左右風向板駆動源
２７  主筐体
２８  筐体本体
２９  外装パネル
３０  中央吹出口
３０１  メインファン気流
３０ａ  前端
３０ｂ  後端
３１ａ、３１ｂ  上下風向板
３２ａ、３２ｂ、３５  水平軸線
３６  サイドパネル
３７  側面吸込口
３８  左右風向板
４０  室外機
４１  冷凍回路
４２  四方弁
４２ａ  第１口
４２ｂ  第２口
４２ｃ  第３口
４２ｄ  第４口
４３  圧縮機
４３ａ、４３ｂ  吐出管
４４  室外熱交換器
４５  膨張弁
４６  室外ファン
５０  冷媒管
６１  リモコン送受信部
６２  室温センサ
６３  人感センサ
６４  記憶部
７０  壁面
７１  床面
７２  人
２６１  左ファンユニット
２６１１  左サイドファン駆動源
２６１２  ファン筐体駆動源
２６１３  左右風向板駆動源
２６２  右ファンユニット
２６２１  右サイドファン駆動源
２６２２  ファン筐体駆動源
２６２３  左右風向板駆動源
２６３  本体ユニット
２６４  室内熱交換器
２６５  メインファン
２６６  サイドファン
３３１  左サイドファン筐体
３３２  右サイドファン筐体
３４１  左吹出口
３４１ａ  左右風向板
３４１１  左サイドファン気流
３４２  右吹出口
３４２ａ  左右風向板
３４２１  右サイドファン気流
【図１】
2014173781.tif 000003
【図２】
2014173781.tif 000004
【図３】
2014173781.tif 000005
【図４】
2014173781.tif 000006
【図５】
2014173781.tif 000007
【図６】
2014173781.tif 000008
【図７】
2014173781.tif 000009
【図８】
2014173781.tif 000010
【図９】
2014173781.tif 000011
【図１０】
2014173781.tif 000012
【図１１】
2014173781.tif 000013
【図１２】
2014173781.tif 000014